(57)【要約】【課題】本発明は、脚によって支持される平板の斜度を調整することが簡便である斜度調整ユニットおよび斜度調整ユニットを備える家具を提供することを目的とする。【解決手段】本発明の斜度調整ユニット２００は、第１の球面板と、内曲面が第１の球面板の外曲面と対向する第２の球面板と、外曲面が第１の球面板の内曲面と対向する第３の球面板と、を備え、本発明の家具１は、平板１００と、平板１００の任意の位置に接続する斜度調整ユニット２００と、斜度調整ユニット２００に接続する支柱部３００と、を備え、第１の球面板と一体となる平板１００の斜度の調整を自在にする。【選択図】図１
2018128111.tif 000002
【特許請求の範囲】
【請求項１】
第１の球面板と、
内曲面が前記第１の球面板の外曲面と対向する第２の球面板と、
外曲面が前記第１の球面板の内曲面と対向する第３の球面板と、を備え、
各球面板である前記第１の球面板、前記第２の球面板、および前記第３の球面板は、中央にボルトの軸部が挿通する円孔を備え、
前記ボルトの軸部が挿通された前記第１の球面板は、前記第２の球面板および前記第３の球面板との間にあって摺動すること、ならびに、各球面板が締め付けられることによって、前記第２の球面板および前記第３の球面板に挟持された前記第１の球面板が固定されることを特徴とする斜度調整ユニット。
【請求項２】
前記ボルトの軸部および前記ボルトとともに用いる固定ナットの周囲を覆う保護カバーと、
前記保護カバーの前記第２の球面板と対向する面の中央に凹状に設けられるポケット部と、
前記保護カバーの側面に設けられるレバーと、を有する操作部を備え、
前記ポケット部に固着された固定ナットは、前記レバーを前記ボルトの軸部に対して周方向に回転することによって、前記ボルトとともに、前記各球面板を締め付けることおよび緩めることができることを特徴とする請求項１に記載の斜度調整ユニット。
【請求項３】
胴体部と、
前記胴体部を貫通する雌螺子と、
前記胴体部の側面に設けられるレバーと、を有する操作部を備え、
前記操作部は、前記レバーを前記ボルトの軸部に対して周方向に回転することによって、前記ボルトとともに、前記各球面板を締めつけることおよび緩めることができることを特徴とする請求項１に記載の斜度調整ユニット。
【請求項４】
前記第１の球面板と前記第２の球面板との間、および／または、前記第１の球面板と前記第３の球面板との間に潤滑材を備えることを特徴とする請求項１から３のいずれか１項に記載の斜度調整ユニット。
【請求項５】
平板を脚部で支える構成である家具において、
前記平板と、
前記平板の任意の位置に接続する前記第１の球面板を備える請求項１から４のいずれか１項に記載の斜度調整ユニットと、
前記斜度調整ユニットに接続する支柱部と、を備え、
前記第１の球面板と一体となる前記平板の斜度の調整を自在にすることを特徴とする家具。
【発明の詳細な説明】
【技術分野】
【０００１】
本発明は、家具に関するものであって、詳しくは、家具の脚によって支持される平板の斜度を調整することが簡便であるユニットを用いる家具に関するものである。
【背景技術】
【０００２】
何かを載せるための、主に平板である天板を備える、例えば、テーブルのような家具は、高さが必要である。高さがあることによって、天板に物を置いたり、置いた物を持ち上げたりすることが容易となる。高さを得るために、テーブルは、天板を脚で支え、脚の端部が地面または床面などの設置面に接する構造が一般的である。脚が３点で設置面に接するときは、３点が構成する平面は１に定まるため、ガタつきの発生は少ない。３点によって定まる平面が水平である場合は、通常その平面と平行である天板も水平となる。しかし、その平面が傾斜している場合は、天板も傾斜した状態となる。
【０００３】
３本の脚が設置面に接するテーブルと、４本以上の脚が設置面に接するテーブルを比較すると、後者は前者よりもガタつきが生じやすい。４本以上の脚が設置面に接するテーブルは、ガタつきを防ぐために、各々の端部に、高さを変更するためのアジャスターを設けることがある（特許文献１）。アジャスターを設けたテーブルは、いずれか１つのアジャスターを操作することによって、ガタつきを防ぐことができる。
【０００４】
また、テーブルの脚の構造は、複数の脚が、天板の側端に近い位置で個別に接続する形態に限られない。例えば、天板に対しては、その重心を１点で支え、設置面に対しては、分岐した複数の端部が接する構造の脚を備えるタイプのテーブルがある（特許文献２）。このようなテーブルであっても、同様の理由でアジャスターが設けられることがある。
【先行技術文献】
【特許文献】
【０００５】
【特許文献１】特開２０００−２３２９１７号公報
【特許文献２】意匠登録第１３０９９００号公報
【発明の概要】
【発明が解決しようとする課題】
【０００６】
設置面に凹凸がある場合や、設置面が傾斜している場合、例えば、屋外の石畳のような場所や、坂になっている場所に、アジャスターを設けたテーブルを設置する場合は、アジャスターによって端部の高さを変更して天板を水平に近づけることが一般的に行われている。しかしながら、天板を水平に近づけるためには、２つ以上のアジャスターの操作を必要とする場合がある。４点以上が設置面に接するテーブルであれば、さらに多数のアジャスターの操作をしなければ、天板を水平にできないことがある。しかも、１回のアジャスターの操作で各点の適切な高さを見極めることは、水準器を併用しても困難である。
【０００７】
そこで、本発明は、脚によって支持される平板の斜度を調整することが簡便である斜度調整ユニットおよび斜度調整ユニットを備える家具を提供することを目的とする。
【課題を解決するための手段】
【０００８】
すなわち、本発明は前記した目的を達成せんとするもので、請求項１の手段は、本発明の斜度調整ユニットは、第１の球面板と、内曲面が前記第１の球面板の外曲面と対向する第２の球面板と、外曲面が前記第１の球面板の内曲面と対向する第３の球面板と、を備え、各球面板である前記第１の球面板、前記第２の球面板、および前記第３の球面板は、中央にボルトの軸部が挿通する円孔を備え、前記ボルトの軸部が挿通された前記第１の球面板は、前記第２の球面板および前記第３の球面板との間にあって摺動すること、ならびに、各球面板が締め付けられることによって、前記第２の球面板および前記第３の球面板に挟持された前記第１の球面板が固定されることを特徴とする。
【０００９】
また、請求項２の手段は、前記斜度調整ユニットは、前記ボルトの軸部および前記ボルトとともに用いる固定ナットの周囲を覆う保護カバーと、前記保護カバーの前記第２の球面板と対向する面の中央に凹状に設けられるポケット部と、前記保護カバーの側面に設けられるレバーと、を有する操作部を備え、前記ポケット部に固着された固定ナットは、前記レバーを前記ボルトの軸部に対して周方向に回転することによって、前記ボルトとともに、前記各球面板を締め付けることおよび緩めることができることを特徴とする。
【００１０】
また、請求項３の手段は、前記斜度調整ユニットは、胴体部と、前記胴体部を貫通する雌螺子と、前記胴体部の側面に設けられるレバーと、を有する操作部を備え、前記操作部は、前記レバーを前記ボルトの軸部に対して周方向に回転することによって、前記ボルトとともに、前記各球面板を締めつけることおよび緩めることができることを特徴とする。
【００１１】
また、請求項４の手段は、前記斜度調整ユニットは、前記第１の球面板と前記第２の球面板との間、および／または、前記第１の球面板と前記第３の球面板との間に潤滑材を備えることを特徴とする。
【００１２】
また、請求項５の手段は、本発明の家具は、平板を脚部で支える構成である家具において、前記平板と、前記平板の任意の位置に接続する前記第１の球面板を備える前記斜度調整ユニットと、前記斜度調整ユニットに接続する支柱部と、を備え、前記第１の球面板と一体となる前記平板の斜度の調整を自在にすることを特徴とする。
【発明の効果】
【００１３】
本発明の斜度調整ユニットは、請求項１の構成によって、摺動する第１の球面板のフランジの斜度を自在に調整することができる。フランジは、緊締具によって第１の球面板が固定されたときは、所望の斜度を維持する。また、フランジは、斜度を調整することができることに加えて、ボルトおよび支柱部を軸として回動することもできる。
【００１４】
また、本発明の斜度調整ユニットは、請求項２の構成によって、緊締具の露出を最小限にして緊締具を保護しながら、いわゆる梃子の原理によって、緊締具を小さい力で緩めることも強固に締めることも可能である。
【００１５】
また、本発明の斜度調整ユニットは、請求項３の構成によって、部品数を極力少なくして軽量化を図りながら、いわゆる梃子の原理によって、緊締具を小さい力で緩めることも強固に締めることも可能である。
【００１６】
また、本発明の斜度調整ユニットは、請求項４の構成によって、第１の球面板の摺動性が向上し、斜度の調整を支障なく円滑に行うことができる。
【００１７】
また、本発明の家具は、請求項５の構成によって、第１の球面板と一体となる平板の斜度を自在に調整することができる。平板は、緊締具によって第１の球面板が固定されたときは、所望の斜度を維持する。平板は、斜度を調整することができることに加えて、支柱部を軸にして回動することもできる。そのため、本発明の家具においては、平板を水平にする調整および平板の向きを定める調整が容易である。本発明の家具の使用者が平板を水平にすることを所望する場合は、直接的に平板を動かして、平板の斜度をあらゆる方向に調整できるため、脚部を調整して平板を水平にするよりも、直感的な調整が可能である。また、水準器を併用して斜度を調整する場合であっても、平板に載せた水準器を目で確認しながら平板を動かすことができる。さらに、使用者は斜度調整ユニットのみ操作すれば平板の調整が可能となるため、複数の脚部それぞれが備えるアジャスターを操作するよりも、調整に要する時間の短縮が見込まれる。また、平板は回動することができるため、家具を、平板および脚部の向きを考慮せずに設置し、設置後に平板の向きを調整してもよい。
【図面の簡単な説明】
【００１８】
【図１】本発明の第１の実施例の家具の斜視図である。
【図２】本発明の第１の実施例の斜度調整ユニットおよび支柱部の正面部分断面図である。
【図３】本発明の第１の実施例の斜度調整ユニットおよび支柱部の底面図である。
【図４】本発明の第１の実施例の斜度調整ユニットの第１の球面板を傾斜させた状態の側面部分断面図である。
【図５】本発明の第１の実施例の斜度調整ユニットの操作部の正面部分断面図である。
【図６】本発明の第１の実施例の斜度調整ユニットの支柱部への取り付け手順を示す参考斜視図である。
【図７】本発明の第２の実施例の斜度調整ユニットの操作部の正面部分断面図である。
【図８】本発明の第３の実施例の斜度調整ユニットおよび支柱部の正面部分断面図である。
【図９】本発明の第３の実施例の斜度調整ユニットの支柱部への取り付け手順を示す参考斜視図である。
【発明を実施するための形態】
【００１９】
以下、図面を参照しながら、本発明について実施するための形態を説明する。
【実施例１】
【００２０】
図１は、本発明の家具１の斜視図である。本実施例の家具１は、平板１００、斜度調整ユニット２００、支柱部３００、脚部４００を備える。
【００２１】
本実施例において、平板１００は物を載せるための天板である。滑落の心配なく平板１００に物を載せるためには、平板が水平である必要がある。斜度調整ユニット２００は、平板の任意の位置に接続することができ、平板の斜度の調整を自在にする。本実施例の斜度調整ユニット２００と平板１００とは、斜度調整ユニット２００の中心軸が平板１００の重心を貫いて偏りが生じないように接続している。なお、平板１００は、単に物を載せる用途のものに限られず、例えば画板、製図板のように、平板１００を傾斜させて使用することが前提のものであってもよい。支柱部３００は、斜度調整ユニット２００に接続し、斜度調整ユニット２００と一体となる平板１００を支持する。本実施例の脚部４００は、支柱部３００の下部から延設され、先端が設置面に接し、家具１の全体を支持する。
【００２２】
図２および図３は、斜度調整ユニット２００および支柱部３００を正面から見た部分断面図および底面図である。支柱部３００は、斜度調整ユニット２００と接続する部位の近傍のみを示す。斜度調整ユニット２００は、それぞれが金属製の３枚の球面板を備える。各球面板は略球冠状に成形され、球面状の内曲面および外曲面を備える。第１の球面板は、他の２枚の球面板との間にあって摺動する調整板２１０である。調整板２１０は、平板１００に接続する。第２の球面板は、内曲面が調整板２１０の外曲面と対向する受板２２０である。第３の球面板は、外曲面が調整板２１０の内曲面と対向する固定板２３０である。
【００２３】
斜度調整ユニット２００は、各球面板を挟持するための緊締具を備える。本実施例の緊締具は、ボルト２４０および固定ナット２５０のことをいう。また、各球面板は、中央にボルト２４０の軸部が挿通する円孔を備える。調整板２１０の円孔であるボルト挿通孔２１１の径は、受板２２０の円孔であるボルト挿通孔２２１および固定板２３０の円孔であるボルト挿通孔２３１の径より大きく、受板２２０および固定板２３０の球欠の底面に相当する面の径より小さい。受板２２０のボルト挿通孔２２１の径は、固定ナット２５０の径より小さい。固定板２３０のボルト挿通孔２３１の径は、ボルト２４０の頭部の径より小さい。これらの径の大小の関係によって、ボルト２４０の軸部が挿通された調整板２１０は、受板２２０と固定板２３０との間にあって摺動し、受板２２０と固定板２３０との間にある状態を維持することができる。
【００２４】
各球面板が締め付けられることによって、受板２２０および固定板２３０に挟持された調整板２１０が固定される。具体的には、緊締具を締め付けることによって、受板２２０および固定板２３０が押圧され、受板２２０および固定板２３０に挟持された調整板２１０が固定される。また、緊締具を緩めることによって、受板２２０および固定板２３０の押圧から解放された調整板２１０は動くことが可能となる。本実施例の調整板２１０は、受板２２０および固定板２３０と面接触しながら摺動する。
【００２５】
調整板２１０は、アニュラス状のフランジ２１２を備える。本実施例の調整板２１０は、フランジ２１２に平板１００を載置する。本実施例の調整板２１０は、平板１００を螺子止めによって固定するための複数の螺子穴２１３を備える。調整板２１０に一体的に固定される平板１００の材質は限定されるものではなく、木材であっても金属であってもよい。また、平板１００を固定するための手段は、螺子止めに限定されるものではなく、他の例として、溶接や嵌め込みによる固定であってもよい。平板１００の載置面の形状は方形に限定されるものではなく、他の多角形や円形、あるいはそれらの組合せであってもよい。
【００２６】
図４は、斜度調整ユニット２００の調整板２１０を傾斜させた状態を側面から見た部分断面図である。本発明の斜度調整ユニット２００は、摺動する調整板２１０のフランジ２１２の斜度を自在に調整することができる。フランジ２１２は、緊締具によって調整板２１０が固定されたときは、所望の斜度を維持する。また、フランジ２１２は、斜度を調整することができることに加えて、ボルト２４０および支柱部３００を軸として回動することもできる。
【００２７】
図５は、本発明の斜度調整ユニット２００の操作部２６０を正面から見た部分断面図である。斜度調整ユニット２００は、固定ナット２５０を回転させるための操作部２６０を備える。操作部２６０は、緊締具の周囲を覆う保護カバー２６１と、保護カバー２６１の受板２２０と対向する面の中央に凹状に設けられるポケット部２６２と、保護カバー２６１の側面に設けられるレバー２６３を有する。また、操作部２６０は、ポケット部２６２の底部に、ボルト２４０の軸部を挿通するためのボルト挿通孔２６４を有する。本実施例において、保護カバー２６１の受板２２０と対向する面は、球面状に成形される。
【００２８】
ポケット部２６２に嵌合によって固着された固定ナット２５０は、ポケット部２６２の中にあっては回転が制限されるとともに、脱落が防止される。なお、固定ナット２５０とポケット部２６２とは、溶接によって固着されていてもよい。ポケット部２６２に固着された固定ナット２５０は、レバー２６３をボルト２４０の軸部に対して周方向に回転することによって、保護カバー２６１の回転とともに回転し、ボルト２４０とともに、各球面板を締めつけることおよび緩めることができる。
【００２９】
本実施例によれば、ボルト２４０および固定ナット２５０からなる緊締具の露出を最小限にして緊締具を保護しながら、いわゆる梃子の原理によって、緊締具を小さい力で緩めることも強固に締めることも可能である。
【００３０】
ボルト２４０は、斜度調整ユニット２００および支柱部３００の接続にも用いられる。本実施例の支柱部３００は円筒状であって、内部は略中空である。支柱部３００は、上方にボルト２４０を接続するための軸座部３１０を備える。軸座部３１０の端面３１１は、斜度調整ユニット２００と対向する。軸座部３１０は、中央の円孔に雌螺子３１２を備える。本実施例の軸座部３１０は、支柱部３００の上端である外周上端部３２０からやや下方に位置するように成形される。外周上端部３２０の外径は、操作部２６０の保護カバー２６１の下端である外周下端部２６５の内径より小さい。本実施例において、保護カバー２６１は、外周下端部２６５と、支柱部３００の外周上端部３２０との間に、工具を差し入れるための隙間が生じるように成形される。
【００３１】
斜度調整ユニット２００の各球面板を挿通するボルト２４０と軸座部３１０の雌螺子３１２との螺子止めによって、斜度調整ユニット２００と支柱部３００とは接続される。本実施例においては、ボルト２４０および雌螺子３１２の緩み止めのために、端面３１１に対して接続ナット３３０を締め付ける。接続ナット３３０の把持および回転は、斜度調整ユニット２００の外周下端部２６５と支柱部３００の外周上端部３２０との隙間から工具を差し入れることによって行われる。
【００３２】
本実施例の脚部４００は、支柱部３００の下部から延設されるが、脚部４００と支柱部３００との接続の部位は任意である。脚部４００の本数は、３本に限定されるものではなく、少なくとも３本以上であればよい。支柱部３００および脚部４００の材質は限定されるものではなく、例えば、木材、ステンレス等の金属などが挙げられる。支柱部３００および脚部４００の内部は、中空でも、一部または全体が中実でもよい。脚部４００は、支柱部３００と一体的に成形してもよく、別個に成形して接続してもよい。本実施例の脚部４００は３本であり、３点で設置面に接する。３点で設置面に接するときは、３点が構成する平面は１に定まるため、ガタつきの発生は少ないが、脚部４００の先端に、高さ調整を目的とするアジャスターを設けてもよい。脚部４００が４本以上の場合は、ガタつきを防止するためにアジャスターを設けることが好ましい。平板１００の水平の調整は、脚部４００にガタつきがない状態で行うことが好ましい。
【００３３】
図６は、本実施例における斜度調整ユニット２００の支柱部３００への取り付け手順を示す参考斜視図である。まず、支柱部３００の雌螺子３１２に合わせて軸座部３１０の端面３１１の中央に接続ナット３３０を載置し、ポケット部２６２に固定ナット２５０を固着した保護カバー２６１を支柱部３００に被せる。続けて、保護カバー２６１に受板２２０、調整板２１０および固定板２３０の順で載置し、ボルト２４０を雌螺子３１２まで通して螺子止めをし、接続ナット３３０を締めて緩み止めとする。このとき、ボルト２４０の頭部と固定板２３０とは、溶接によって固着されていてもよい。
【００３４】
なお、本実施例におけるボルト２４０、固定ナット２５０および接続ナット３３０は、一般的な流通品を用いることができる。しかしながら、ボルト２４０の頭部の固定板２３０と対向する面および固定ナット２５０の受板２２０と対向する面は、球面状に加工してあってもよい。また、ボルト２４０の頭部の固定板２３０と対向する面および固定ナット２５０の受板２２０と対向する面が平面である場合は、固定板２３０の内曲面のボルト２４０と接触する部分および受板２２０の外曲面の固定ナット２５０と接触する部分は、平面に加工してあってもよい。
【００３５】
家具１を設置した後、平板１００を水平にする手順の例を以下に示す。まず、使用者はレバー２６３を回転し、固定ナット２５０を緩める。固定ナット２５０を緩めることによって、調整板２１０は、受板２２０および固定板２３０との間にあって摺動することができる。使用者は、調整板２１０と一体となる平板１００を水平に調整した後、レバー２６３を逆に回転し、固定ナット２５０を強固に締め、平板１００の水平を維持しながら調整板２１０を固定する。
【実施例２】
【００３６】
本実施例においては、本発明の斜度調整ユニット２００の改変例を説明する。図７は、斜度調整ユニット２００の改変した操作部２７０を正面から見た部分断面図である。本実施例の構成は、実施例１における保護カバー２６１が省略される。
【００３７】
本実施例においては、操作部２７０は胴体部２７１と、胴体部２７１を貫通する雌螺子２７２と、を有し、胴体部２７１の受板２２０と対向する面が球面状である。また、操作部２７０は、胴体部２７１の側面に設けられるレバー２７３を有する。レバー２７３は胴体部２７１に接着する構造でも螺子止めをする構造であってもよい。
【００３８】
胴体部２７１および雌螺子２７２は、ボルト２４０とともに各球面板を固定するための緊締具として機能する。具体的には、操作部２７０は、レバー２７３をボルト２４０の軸部に対して周方向に回転することによって、ボルト２４０とともに、各球面板を締めつけることおよび緩めることができる。操作部２７０は、実施例１における固定ナット２５０および操作部２６０を置き換えたものであって、他の構成は、実施例１と同様であるため、説明を省略する。
【００３９】
本実施例によれば、部品数を極力少なくして軽量化を図りながら、いわゆる梃子の原理によって、ボルト２４０および操作部２７０からなる緊締具を小さい力で緩めることも強固に締めることも可能である。
【実施例３】
【００４０】
本実施例においては、本発明の斜度調整ユニット２００の別の改変例を説明する。図８は、斜度調整ユニット２００および支柱部３００を正面から見た部分断面図である。本実施例の構成は、各球面板の摺動性が向上し、ボルト２４０および雌螺子３１２の緩み止めのための締め付けが容易となる。
【００４１】
本実施例においては、操作部２８０は、胴体部２８１と、胴体部２８１を貫通する雌螺子２８２と、を有し、受板２２０との対向する面が球面状である。また、操作部２８０は、胴体部２８１の側面に設けられるレバー２８３を有する。本実施例においては、レバー２８３は、操作部２８０に螺子止めをする構造である。また、胴体部２８１の下部は、接続ナット３４０の上部を覆うように、また、胴体部２８１の下端である外周下端部２８４は、支柱部３００の外周上端部３２０との隙間が生じるように成形される。胴体部２８１の下部および支柱部３００の上部は、接続ナット３４０の上部および下部を保護する。
【００４２】
胴体部２８１および雌螺子２８２は、ボルト２４０とともに各球面板を固定するための緊締具として機能する。具体的には、操作部２８０は、レバー２８３をボルト２４０の軸部に対して周方向に回転することによって、ボルト２４０とともに、各球面板を締めつけることおよび緩めることができる。
【００４３】
本実施例においては、調整板２１０と受板２２０との間、および、調整板２１０と前記固定板２３０との間に潤滑材２９０を備える。潤滑材２９０は、各球面板と同様に略球冠状の板材であり、ボルト２４０を挿通するための円孔を備える。潤滑材２９０の好適な材質としては、例えば、高い摺動性を有する樹脂や真鍮が挙げられる。また、潤滑材２９０は、潤滑剤を含んだシート状の部材であってもよいし、各球面板の外曲面および内曲面に塗布する塗装剤であってもよい。
【００４４】
本実施例によれば、調整板２１０の摺動性が向上し、斜度の調整を支障なく円滑に行うことができる。なお、各球面板の外曲面および内曲面の加工によって十分な摺動性を確保できるならば、斜度調整ユニット２００は、潤滑材２９０をどちらか一方の間のみに備えることとしてもよく、あるいは、潤滑材２９０を全く用いずともよい。
【００４５】
本実施例の接続ナット３４０は、側面にあって一定の間隔をもって段差を有する突出部３４１を備える。接続ナット３４０は、突出部３４１の最外周が、支柱部３００の外周と略同径となるよう成形される。本実施例の接続ナット３４０は視認性に優れるため、接続ナット３４０の把持および回転が容易である。
【００４６】
図９は、本実施例における斜度調整ユニット２００の支柱部３００への取り付け手順を示す参考斜視図である。まず、支柱部３００の雌螺子３１２に合わせて軸座部３１０の端面３１１の中央に接続ナット３４０を載置し、操作部２８０の胴体部２８１を接続ナット３４０に被せる。ここで、胴体部２８１へのレバー２８３の装着は、取り付け手順のどの段階で行ってもよい。続けて、胴体部２８１に受板２２０、潤滑材２９０、調整板２１０、潤滑材２９０および固定板２３０の順で載置し、ボルト２４０を雌螺子３１２まで通して螺子止めをし、接続ナット３４０を締めて緩み止めとする。なお、本実施例における各球面板、ボルト２４０など、実施例１と同様の構成である部材については、説明を省略する。
【００４７】
以上、各実施例について説明したが、全ての実施例において、使用者は、調整板２１０と一体となる平板１００の斜度を自在に調整することができる。平板１００は、緊締具によって調整板２１０が固定されたときは、所望の斜度を維持する。平板１００は、斜度を調整することができることに加えて、支柱部３００を軸にして回動することもできる。そのため、本発明の家具１においては、平板１００を水平にする調整および平板１００の向きを定める調整が容易である。本発明の家具１の使用者が平板１００を水平にすることを所望する場合は、直接的に平板１００を動かして、平板１００の斜度をあらゆる方向に調整できるため、脚部４００を調整して平板１００を水平にするよりも、直感的な調整が可能である。また、水準器を併用して斜度を調整する場合であっても、平板１００に載せた水準器を目で確認しながら平板１００を動かすことができる。さらに、使用者は斜度調整ユニット２００のみ操作すれば平板１００の調整が可能となるため、複数の脚部４００それぞれが備えるアジャスターを操作するよりも、調整に要する時間の短縮が見込まれる。また、平板１００は回動することができるため、家具１を、平板１００および脚部４００の向きを考慮せずに設置し、設置後に平板１００の向きを調整してもよい。
【００４８】
なお、本発明の家具１は、脚部４００を設けることを必ずしも要さず、支柱部３００の下部を設置面に固定する構成であってもよい。この構成の場合は、設置面が地面および床面でなくてもよく、例えば、垂直な壁面に設置することが挙げられ、平板１００の代わりにテレビのモニタを取り付けることも可能である。また、斜度調整ユニット２００は、調整板２１０のフランジ２１２に、平板１００を立てかけた状態で接続して、看板のように使用することも可能であり、他の形状の部材、例えば、円錐体の部材を接続して使用することも可能である。例えば、斜度調整ユニット２００は、調整板２１０のフランジ２１２に、作業台、太陽光パネルといった部材を載置することも可能である。
【符号の説明】
【００４９】
１…家具。
１００…平板。
２００…斜度調整ユニット、２１０…調整板、２１１…ボルト挿通孔、２１２…フランジ、２１３…螺子穴、２２０…受板、２２１…ボルト挿通孔、２３０…固定板、２３１…ボルト挿通孔、２４０…ボルト、２５０…固定ナット、２６０…操作部、２６１…保護カバー、２６２…ポケット部、２６３…レバー、２６４…ボルト挿通孔、２６５…外周下端部、２７０…操作部、２７１…胴体部、２７２…雌螺子、２７３…レバー、２８０…操作部、２８１…胴体部、２８２…雌螺子、２８３…レバー、２８４…外周下端部、２９０…潤滑材。
３００…支柱部、３１０…軸座部、３１１…端面、３１２…雌螺子、３２０…外周上端部、３３０…接続ナット、３４０…接続ナット、３４１…突出部。
４００…脚部。
【図１】
2018128111.tif 000003
【図２】
2018128111.tif 000004
【図３】
2018128111.tif 000005
【図４】
2018128111.tif 000006
【図５】
2018128111.tif 000007
【図６】
2018128111.tif 000008
【図７】
2018128111.tif 000009
【図８】
2018128111.tif 000010
【図９】
2018128111.tif 000011
【手続補正書】
【提出日】平成29年7月5日(2017.7.5)
【手続補正１】
【補正対象書類名】特許請求の範囲
【補正対象項目名】請求項１
【補正方法】変更
【補正の内容】
【請求項１】
部材を接続するためのフランジを備える第１の球面板と、
内曲面が前記第１の球面板の外曲面と対向する第２の球面板と、
外曲面が前記第１の球面板の内曲面と対向する第３の球面板と、を備え、
各球面板である前記第１の球面板、前記第２の球面板、および前記第３の球面板は、中央にボルトの軸部が挿通する円孔を備え、
前記ボルトの軸部が挿通された前記第１の球面板は、前記第２の球面板および前記第３の球面板との間にあって摺動すること、各球面板が締め付けられることによって、前記第２の球面板および前記第３の球面板に挟持された前記第１の球面板が固定されること、ならびに、前記ボルトが前記第１の球面板、前記第２の球面板および前記第３の球面板を通して、前記第２の球面板の外曲面と対向する端面を備える軸座部および雌螺子を備える支柱部の前記雌螺子に接続することを特徴とする斜度調整ユニット。
【手続補正２】
【補正対象書類名】特許請求の範囲
【補正対象項目名】請求項５
【補正方法】変更
【補正の内容】
【請求項５】
平板を脚部で支える構成である家具において、
前記平板と、
前記平板の任意の位置に接続する前記第１の球面板を備える請求項１から４のいずれか１項に記載の斜度調整ユニットと、を備え、
前記第１の球面板と一体となる前記平板の斜度の調整を自在にすることを特徴とする家具。
【手続補正３】
【補正対象書類名】明細書
【補正対象項目名】０００８
【補正方法】変更
【補正の内容】
【０００８】
すなわち、本発明は前記した目的を達成せんとするもので、請求項１の手段は、本発明の斜度調整ユニットは、部材を接続するためのフランジを備える第１の球面板と、内曲面が前記第１の球面板の外曲面と対向する第２の球面板と、外曲面が前記第１の球面板の内曲面と対向する第３の球面板と、を備え、各球面板である前記第１の球面板、前記第２の球面板、および前記第３の球面板は、中央にボルトの軸部が挿通する円孔を備え、前記ボルトの軸部が挿通された前記第１の球面板は、前記第２の球面板および前記第３の球面板との間にあって摺動すること、各球面板が締め付けられることによって、前記第２の球面板および前記第３の球面板に挟持された前記第１の球面板が固定されること、ならびに、前記ボルトが前記第１の球面板、前記第２の球面板および前記第３の球面板を通して、前記第２の球面板の外曲面と対向する端面を備える軸座部および雌螺子を備える支柱部の前記雌螺子に接続することを特徴とする。
【手続補正４】
【補正対象書類名】明細書
【補正対象項目名】００１２
【補正方法】変更
【補正の内容】
【００１２】
また、請求項５の手段は、本発明の家具は、平板を脚部で支える構成である家具において、前記平板と、前記平板の任意の位置に接続する前記第１の球面板を備える前記斜度調整ユニットと、を備え、前記第１の球面板と一体となる前記平板の斜度の調整を自在にすることを特徴とする。